(57)【要約】【課題】製作が容易であるとともに、商品を前方に押し出す商品展示用として使用する場合、展示される商品を保護できるようにすること。【解決手段】長さ方向の少なくとも一箇所において屈曲された金属線よりなるバネ部材と、そのバネ部材を隠蔽するカバー部材１２とを設けた。バネ部材の弾性力によって商品３２が前方に押し出される。【選択図】図７
2016114156.tif 000002
【特許請求の範囲】
【請求項１】
長さ方向の少なくとも一箇所において屈曲されたバネ部材と、そのバネ部材の少なくとも一端に設けられ、その一端を隠蔽するカバー部材とを設けたバネ具。
【請求項２】
前記バネ部材を線材によって形成した請求項１に記載のバネ具。
【請求項３】
前記バネ部材をその折り曲げ部を除いて前記カバー部材によって隠蔽した請求項１または２に記載のバネ具。
【発明の詳細な説明】
【技術分野】
【０００１】
本発明は、例えば、陳列商品を目に付くように前方に押し出しすることに用いられるバネ具に関するものである。
【背景技術】
【０００２】
特許文献１には、商品陳列具が開示されている。すなわち、この特許文献１の商品陳列具は、トレー上において煙草等のばら売り商品を陳列するためのものである。そして、商品群の背後には、商品に対して前方への移動性向を付与するためのバネが設けられている。
【先行技術文献】
【特許文献】
【０００３】
【特許文献１】実用新案登録第３１２５２７９号公報
【発明の概要】
【発明が解決しようとする課題】
【０００４】
前記特許文献１の従来技術においては、商品を前方に押し出すためのバネに関する記述は存在するものの、バネの具体的構造については、ほとんど言及されていない。
一般的には、この種のバネは、板バネやコイルバネ、あるいはゴムやスポンジ等の弾性合成樹脂が用いられる。
【０００５】
板バネやコイルバネは硬質であるため、先端の尖鋭部等が商品に傷をつけて、商品の販売価値を低下させるおそれが高い。また、ゴムやスポンジ等のバネを引っ張ってその弾性反発力を利用する場合は、そのバネは切れやすく、耐久性に乏しい。また、ゴムやスポンジ等のバネを収縮させてその弾性反発力を利用する場合は、バネストロークが小さいために商品に対する押し出し量が足りないことが多い。しかも、このようなゴムや合成樹脂のバネは経時変化して老化したり劣化したりしやすく、前記のように耐久性に乏しい。
【０００６】
本発明の目的は、このような従来の技術に存在する問題点に着目してなされたものであって、商品の傷付きのおそれが低く、かつ、十分なバネストロークを得ることができるバネ部材の提供にある。
【課題を解決するための手段】
【０００７】
上記の目的を達成するために、本発明は、長さ方向の少なくとも一箇所において屈曲されたバネ部材と、そのバネ部材の少なくとも一端に設けられ、その一端を隠蔽するカバーとを設けたことを特徴としている。
【０００８】
従って、本発明においては、カバーによって商品を保護することができて、商品の傷付きを抑制できる。また、バネ部材として金属製のものを使用できるため、合成樹脂やゴムのような老化や劣化のおそれがなく、バネストロークを十分に確保できる。
【発明の効果】
【０００９】
以上のように、本発明によれば、商品展示用として使用する場合、展示される商品を保護できるとともに、耐久性に優れるという効果を発揮する。
【図面の簡単な説明】
【００１０】
【図１】第１実施形態のバネ部材を示す斜視図。
【図２】バネ部材の断面図。
【図３】バネ部材の側面図。
【図４】段ボール状シートとバネ部材とを示す組付前の一部破断平面図。
【図５】段ボール状シートとバネ部材とを示す組付後の一部破断平面図。
【図６】金属線の折り曲げ前の状態のバネ部材を示す一部破断平面図。
【図７】バネ部材の使用状態を示す断面図。
【図８】第２実施形態のバネ部材を示す分解正面図。
【図９】第３実施形態のバネ部材を示す斜視図。
【図１０】使用状態を示す側面図。
【図１１】変更例を示す側面図。
【発明を実施するための形態】
【００１１】
以下に、この発明を具体化したバネ部材の実施形態を図面に従って説明する。
（第１実施形態）
図１〜図３に示すように、第１実施形態のバネは、複数本（図面では２本）の金属線バネ（線材）よりなるバネ部材１１と、そのバネ部材１１を収容する段ボール構造のカバー部材１２とによって構成されている。このカバー部材１２は、紙や合成樹脂よりなり、一対のライナ１３と、両ライナ１３間に位置する複数の中芯１４とにより形成されている。従って、各中芯１４間には複数の空隙１５が形成されている。また、カバー部材１２は、一方のライナ１３の折り曲げ部１７を介した一対のカバー片１６によって分割構成されている。
【００１２】
前記バネ部材１１は、長さ方向のほぼ中央部において鋭角状に折り曲げられている。この折り曲げ角度は必要に応じて設定される。そして、バネ部材１１の両端部がそれぞれカバー片１６の空隙１５内に挿入されて、両端部の各先端がカバー部材１２によって隠蔽されている。バネ部材１１の折り曲げ部１８は両カバー片１６間の分割部の前記折り曲げ部１７の位置において外部に露出している。
【００１３】
次に、図１〜図３に示すバネの製造方法の一例を説明する。
まず、図４及び図５は、幅方向（図４及び図５の上下方向）に多数の空隙１５が形成されるとともに、長さ方向に連続する段ボール状のシート２１を示す。このシート２１には、その長さ方向に所定間隔をおいた位置に切り込み２３が形成される。この切り込み２３は、一方のライナ１３及び中芯１４を切断することによって形成される。そして、このシート２１の等間隔をおいた複数の空隙１５内に屈曲されていない金属線２２を挿入する。
【００１４】
次いで、金属線２２が挿入されたシート２１を、金属線２２とともに図６に示すように、適当な長さα及び適当な幅βに切断する。この場合、前記切り込み２３が長さ方向の中央部に配置されるようにする。そして、金属線２２を所要角度に折り曲げれば、その金属線２２がバネ部材１１になり、シート２１が切り込み２３部分の折り曲げ部１７を介して鋭角状に折り曲げられ、図１〜図３に示すバネ具１０となる。
【００１５】
その後、図７に示すように、このバネ具１０を商品ケース３１内の後部に収容して、商品３２をその背後から前方押し出すようにすればよい。この状態で、商品購入者等が商品ケース３１から商品３２を取り出せば、バネ具１０により後続の商品３２が奥まった位置から目につく前部側の位置に押し出される。
【００１６】
なお、バネ具１０の製造には他の方法も採用される。例えば、図８に示すように、金属線２２が挿入されてない段ボール状シート２１を所要の長さα及び幅βに切断するとともに、切り込み２３を入れてカバー部材１２を形成する。また、金属線２２を所要の長さに切断して、折り曲げることによりバネ部材１１を形成する。その後、バネ部材１１を二つ折り状に強制的に撓ませながらカバー部材１２の空隙１５内に挿入して、撓みを解放すれば、バネ具１０となる。このようにして、前記と同様なバネ具１０を得ることができる。
【００１７】
本実施形態においては、以下の効果がある。
（１）バネを剥き出し状態で使用する場合とは異なり、バネ部材１１の先端がカバー部材１２によって隠蔽される。従って、バネ部材１１の先端が商品３２に直接当たることを防止できる。しかも、カバー部材１２がバネ部材１１より広い面積で商品３２に当たる。このため、商品３２に傷がつくことを抑制できる。
【００１８】
（２）前記のように、金属線２２を段ボール状のシート２１に挿入して、切断及び折り曲げの工程を実行したり、あるいはあらかじめ切断されたカバー部材１２にバネ部材１１を挿入したりすることによりバネ具１０が製作される。従って、バネ具１０を単純作業によって簡単に製作できる。
【００１９】
（３）金属線２２をシート２１の空隙１５内に挿入すれば、金属線２２をシート２１によって安定保持できる。従って、金属線２２の折り曲げを容易に行なうことができて、バネ具１０の製作を容易に行なうことができる。
【００２０】
（４）バネ部材１１は、ゴムやスポンジ等の弾性材とは異なり、切れたり、経時変化によって老化したり劣化したりすることがなく、耐久性に優れたものとすることができる。
（５）バネ部材１１は、ゴムやスポンジ等の弾性材とは異なり、バネストロークを大きくすることができる。このため、商品３２に対して大きな移動力を付与することができる。
【００２１】
（６）金属製のバネ部材１１がカバー部材１２によって覆われるため、バネ具１０の外観を良好にできる。また、カバー部材１２を着色等によってデザイン化できるため、さらに外観を良好することができる。
【００２２】
（７）カバー部材１２の大きさや形、バネ部材１１の長さや本数等を適宜に選択設定することにより、任意の大きさや形のバネ具１０を得ることができる。
（第２実施形態）
次に、本発明の第２実施形態について説明する。
【００２３】
第２実施形態においては、図９に示すように、バネ具１０全体が襞状をなしている。すなわち、バネ部材１１及びカバー部材１２に折り曲げ部が３箇所以上複数設けられている。また、カバー部材１２のカバー片１６の中央部には透孔２４が形成されている。また、カバー部材１２として、伸長性を有する合成樹脂を用いているため、切り込み２３は形成されていない。
【００２４】
従って、この実施形態においては、例えば、図１０に示すように、商品３２を吊下するバー３３をバネ具１０の透孔２４に通して、バネ具１０をこのバー３３に装着することができる。このようにすれば、バー３３に吊下された商品３２を前方に押し出すことができる。
【００２５】
従って、第２実施形態では以下の効果を得ることができる。
（８）バネ具１０全体が複数のカバー片１６によって襞状に形成されているため、大きなバネストロークを確保できる。このため、商品数が多い場合であっても、それらの商品３２を適切に押し出すことができる。
【００２６】
（９）カバー部材１２に透孔２４が形成されているため、その透孔２４にバー３３を通すことにより、バー３３上に吊下された商品３２であっても、その商品３２を前方に押し出すことができる。また、第２実施形態のバネ具１０を図７のようにして用いれば、商品ケース３１に収容された商品であっても、前方に押し出すことができる。
【００２７】
（１０）切り込み２３が形成されていないため、バネ部材１１の折り曲げ部１８は露出されない。このため、バネ部材１１の外観を向上できる。
（変更例）
本発明は前記実施形態に限定されるものではなく、以下のような態様で具体化することも可能である。
【００２８】
・図１１に示すように、カバー部材１２として段ボール状のシート２１の代りに、単なるシート３５にバネ挿通部２６を設けて、そのバネ挿通部２６の内部にバネ部材１１の収容のための空隙１５が形成されるようにすること。
【００２９】
・バネ部材１１として、細幅状の板バネを用いること。
・図１に２点鎖線で示すように、小片状のカバー部材１２１をバネ部材１１の両端部のみに設けること。このように構成しても、カバー部材１２が商品３２に当たるため、商品の傷付きが防止される。ただし、このように構成した場合は、カバー部材１２１とバネ部材１１とを接着剤等で固定する必要がある。この構成の場合、カバー部材１２１をバネ部材１１の商品側の一端のみに設けることもできる。
【００３０】
前記実施形態から把握される技術的思想は以下の通りである。
（Ａ）前記カバー部材を、ライナと中芯とよりなる段ボール状のシートによって形成し、前記中芯間の空隙内に前記バネ部材を通した請求項１〜３のうちのいずれか一項に記載のバネ具。
【００３１】
（Ｂ）折り曲げ部を３箇所以上形成して、全体を襞状に構成した請求項１〜３のうちのいずれか一項に記載のバネ具。
【符号の説明】
【００３２】
１０…バネ具、１１…バネ部材、１２…カバー部材、１７…折り曲げ部、１８…折り曲げ部、２１…シート、２２…金属線、１２１…カバー部材、α…長さ。
【図１】
2016114156.tif 000003
【図２】
2016114156.tif 000004
【図３】
2016114156.tif 000005
【図４】
2016114156.tif 000006
【図５】
2016114156.tif 000007
【図６】
2016114156.tif 000008
【図７】
2016114156.tif 000009
【図８】
2016114156.tif 000010
【図９】
2016114156.tif 000011
【図１０】
2016114156.tif 000012
【図１１】
2016114156.tif 000013